【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
画像データを入力する入力手段と、
前記入力手段により入力された画像データに対して画像処理を実行する画像処理手段と、
前記画像処理手段により画像処理が実行された画像データに応じた現像剤像を感光体上に形成し、前記現像剤像を前記感光体から用紙上に転写する転写手段と、
前記転写手段により転写された現像剤像を用紙上に定着させる定着手段と、
複数枚の用紙を搬送路上の所定の位置から一定の搬送間隔で前記転写手段及び前記定着手段へ搬送する搬送手段と、
画像処理が実行された第１のページの画像データに応じた現像剤像を定着させる第１の用紙を前記搬送手段により搬送させた後に前記第１の用紙に引き続く第２の用紙を前記搬送手段により前記所定の位置から搬送させる場合に、前記第１のページに引き続く第２のページの画像データに対する画像処理が完了している場合は前記転写手段により前記第２のページの画像データに応じた現像剤像を前記第２の用紙に転写して前記定着手段に前記第２の用紙を搬送し、前記第２のページの画像データに対する画像処理が完了していない場合は前記転写手段により前記第２のページの画像データに応じた現像剤像を前記第２の用紙に転写することなく前記定着手段に前記第２の用紙を搬送するよう制御する制御手段とを有することを特徴とする画像形成装置。
【請求項２】
前記入力手段は、読取部又は外部装置から画像データを入力することを特徴とする請求項１に記載の画像形成装置。
【請求項３】
前記画像処理手段は、前記入力手段により入力された画像データに対してページ記述言語のデータをビットマップのデータに展開する画像処理を実行することを特徴とする請求項１又は２に記載の画像形成装置。
【請求項４】
前記制御手段は、前記転写手段により前記第２のページの画像データに応じた現像剤像を前記第２の用紙に転写することなく前記定着手段に前記第２の用紙を搬送した後、前記第２の用紙に引き続く第３の用紙を前記搬送手段により前記所定の位置から搬送させる場合に、前記第２のページの画像データに対する画像処理が完了している場合は前記転写手段により前記第２のページの画像データに応じた現像剤像を前記第３の用紙に転写して前記定着手段に前記第３の用紙を搬送し、前記第２のページの画像データに対する画像処理が完了していない場合は前記転写手段により前記第２のページの画像データに応じた現像剤像を前記第３の用紙に転写することなく前記定着手段に前記第３の用紙を搬送するよう制御することを特徴とする請求項１乃至３のいずれかに記載の画像形成装置。
【請求項５】
前記画像形成装置においてサイクルダウンを防止するサイクルダウン防止印刷モードを設定する設定手段を有し、
前記制御手段は、前記設定手段によりサイクルダウン防止印刷モードが設定された場合に前記制御を実行することを特徴とする請求項１乃至４のいずれかに記載の画像形成装置。
【請求項６】
複数の排紙手段を有し、
前記制御手段は、前記転写手段により前記第２のページの画像データに応じた現像剤像が転写されることなく前記定着手段に搬送された前記第２の用紙が、前記転写手段により前記第２のページの画像データに応じた現像剤像が転写されて前記定着手段に搬送された前記第２の用紙が排紙される排紙部とは異なる排紙部に排紙されるよう制御することを特徴とする請求項１乃至５のいずれかに記載の画像形成装置。
【請求項７】
前記複数の排紙部の中から排紙部を指定する指定手段を有し、
前記制御手段は、前記転写手段により前記第２のページの画像データに応じた現像剤像が転写されることなく前記定着手段に搬送された前記第２の用紙が前記指定手段によって指定された排紙部に排紙されるよう制御することを特徴とする請求項６に記載の画像形成装置。
【請求項８】
前記制御手段は、前記転写手段により前記第２のページの画像データに応じた現像剤像が転写されることなく前記定着手段に搬送された前記第２の用紙が前記印刷装置の給紙部に排紙されるよう制御することを特徴とする請求項６又は７に記載の画像形成装置。
【請求項９】
前記制御手段は、前記転写手段により前記第２のページの画像データに応じた現像剤像が転写されることなく前記定着手段に搬送された前記第２の用紙が前記印刷装置に接続されたスタッカのエスケープトレイに排紙されるよう制御することを特徴とする請求項６又は７に記載の画像形成装置。
【請求項１０】
転写手段と定着手段とを有する画像形成装置を制御するための制御方法であって、
画像データを入力する入力工程と、
前記入力工程により入力された画像データに対して画像処理を実行する画像処理工程と、
前記転写手段により、前記画像処理工程により画像処理が実行された画像データに応じた現像剤像を感光体上に形成し、前記現像剤像を前記感光体から用紙上に転写する転写工程と、
前記定着手段により、前記転写工程により転写された現像剤像を用紙上に定着させる定着工程と、
複数枚の用紙を搬送路上の所定の位置から一定の搬送間隔で前記転写手段及び前記定着手段へ搬送する搬送工程と、
画像処理が実行された第１のページの画像データに応じた現像剤像を定着させる第１の用紙を前記搬送工程により搬送させた後に前記第１の用紙に引き続く第２の用紙を前記搬送工程により前記所定の位置から搬送させる場合に、前記第１のページに引き続く第２のページの画像データに対する画像処理が完了している場合は前記転写手段により前記第２のページの画像データに応じた現像剤像を前記第２の用紙に転写して前記定着手段に前記第２の用紙を搬送し、前記第２のページの画像データに対する画像処理が完了していない場合は前記転写手段により前記第２のページの画像データに応じた現像剤像を前記第２の用紙に転写することなく前記定着手段に前記第２の用紙を搬送するよう制御する制御工程とを有することを特徴とする制御方法。
【手続補正２】
【補正対象書類名】明細書
【補正対象項目名】０００９
【補正方法】変更
【補正の内容】
【０００９】
本発明に係る画像形成装置は、画像データを入力する入力手段と、前記入力手段により入力された画像データに対して画像処理を実行する画像処理手段と、前記画像処理手段により画像処理が実行された画像データに応じた現像剤像を感光体上に形成し、前記現像剤像を前記感光体から用紙上に転写する転写手段と、前記転写手段により転写された現像剤像を用紙上に定着させる定着手段と、複数枚の用紙を搬送路上の所定の位置から一定の搬送間隔で前記転写手段及び前記定着手段へ搬送する搬送手段と、画像処理が実行された第１のページの画像データに応じた現像剤像を定着させる第１の用紙を前記搬送手段により搬送させた後に前記第１の用紙に引き続く第２の用紙を前記搬送手段により前記所定の位置から搬送させる場合に、前記第１のページに引き続く第２のページの画像データに対する画像処理が完了している場合は前記転写手段により前記第２のページの画像データに応じた現像剤像を前記第２の用紙に転写して前記定着手段に前記第２の用紙を搬送し、前記第２のページの画像データに対する画像処理が完了していない場合は前記転写手段により前記第２のページの画像データに応じた現像剤像を前記第２の用紙に転写することなく前記定着手段に前記第２の用紙を搬送するよう制御する制御手段とを有することを特徴とする。
【手続補正３】
【補正対象書類名】明細書
【補正対象項目名】００１０
【補正方法】変更
【補正の内容】
【００１０】
また、本発明に係る画像形成装置の制御方法は、転写手段と定着手段とを有する画像形成装置を制御するための制御方法であって、画像データを入力する入力工程と、前記入力工程により入力された画像データに対して画像処理を実行する画像処理工程と、前記転写手段により、前記画像処理工程により画像処理が実行された画像データに応じた現像剤像を感光体上に形成し、前記現像剤像を前記感光体から用紙上に転写する転写工程と、前記定着手段により、前記転写工程により転写された現像剤像を用紙上に定着させる定着工程と、複数枚の用紙を搬送路上の所定の位置から一定の搬送間隔で前記転写手段及び前記定着手段へ搬送する搬送工程と、画像処理が実行された第１のページの画像データに応じた現像剤像を定着させる第１の用紙を前記搬送工程により搬送させた後に前記第１の用紙に引き続く第２の用紙を前記搬送工程により前記所定の位置から搬送させる場合に、前記第１のページに引き続く第２のページの画像データに対する画像処理が完了している場合は前記転写手段により前記第２のページの画像データに応じた現像剤像を前記第２の用紙に転写して前記定着手段に前記第２の用紙を搬送し、前記第２のページの画像データに対する画像処理が完了していない場合は前記転写手段により前記第２のページの画像データに応じた現像剤像を前記第２の用紙に転写することなく前記定着手段に前記第２の用紙を搬送するよう制御する制御工程とを有することを特徴とする。